(57)【要約】【課題】開口に蓋をしたら蓋体自身の重みを十分に生かして浮き上がらないようにし、且つ蓋体が回動して開口を閉じる際は、ゆっくりとした動作になるようにした開閉蓋を提供する。【解決手段】盤状の蓋体2と、蓋体2の一側域で、その回動軸として一体化して、蓋体2の両外方へ突出する一本の支軸3、又は蓋体2の一側域で、その回動軸が二つに分割し且つ少なくとも一方が蓋体2に一体化して、蓋体2の外方へ突出するピン軸92と、四方を取り囲む枠部材で蓋体2が収まる開口Oを形成し、支軸3又はピン軸92を支持する軸受が一側寄りに設けられた開口枠1と、支軸3の少なくとも一方の端部を、又は蓋体に一体化したピン軸92の端部を、回転体74の係合部75へ係止させ、且つ回転体74が収容される本体ケース71を開口枠1に固着して、開口Oが開いた状態から閉じる状態への蓋体2の移行時に、支軸3又はピン軸92の回動を制動する回転ダンパー装置7と、を具備する。【選択図】図１
2016035162.tif 000002
【特許請求の範囲】
【請求項１】
盤状の蓋体(2)と、
該蓋体(2)の一側域で、その回動軸として一体化して、蓋体(2)の両外方へ突出する一本の支軸(3)、又は蓋体(2)の一側域で、その回動軸が二つに分割し且つ少なくとも一方が該蓋体(2)に一体化して、蓋体(2)の外方へ突出するピン軸(92)と、
四方を取り囲む枠部材で前記蓋体(2)が収まる開口(O)を形成し、前記支軸(3)又は前記ピン軸(92)を支持する軸受が一側寄りに設けられた開口枠(1)と、
前記支軸(3)の少なくとも一方の端部を、又は蓋体に一体化した前記ピン軸(92)の端部を、回転体(74)の係合部(75)へ係止させ、且つ該回転体(74)が収容される本体ケース(71)を前記開口枠(1)に固着して、開口(O)が開いた状態から閉じる状態への蓋体(2)の移行時に、前記支軸(3)又は前記ピン軸(92)の回動を制動する回転ダンパー装置(7)と、を具備することを特徴とする開閉蓋。
【請求項２】
前記回転ダンパー装置(7)が、前記蓋体(2)を持ち上げて開口(O)を開ける回転時よりも、該蓋体(2)で開口(O)を閉じる逆方向回転時に、その発生トルクを大きく増加させ、制動作用を強く働かせてなる請求項１記載の開閉蓋。
【請求項３】
前記ピン軸(92)の双方とも蓋体(2)と一体化し、且つ蓋体(2)の両外方へ突出する双方のピン軸(92)の端部を、回転体(74)の係合部(75)へそれぞれ係止させて、前記本体ケース(71)が前記開口枠(1)に一対固着された回転ダンパー装置(7)を具備する請求項１又は２に記載の開閉蓋。
【請求項４】
前記支軸(3)の一方の端部を、前記回転体(74)の係合部(75)へ係止させて、前記本体ケース(71)が前記開口枠(1)に固着された回転ダンパー装置(7)を備える一方、
該支軸の他方の端部に、基端部が取着され、先端部が該支軸地点から軸半径外方向へ張り出すアーム(4)と、
該アームの先端部に一端が回動自在に連結部で取付けられると共に該連結部に基端が取着されて棒状に軸部が延びる軸状部材(5)と、
先端部分に設けた挿孔に前記軸部を遊挿し、基端部分が支軸(3)用の前記軸受を設けた開口枠(1)に係る枠部材の一側寄りと反対の該枠部材の他側寄りで回転自在に支持されてなる長尺部材(6)と、
一端を前記軸部に遊挿された前記先端部分に係止させ、他端を該軸部の先端寄りに取付けた止具に係止させるようにして該軸部に介装されるコイルばね(SP)と、をさらに具備し、
コイルばねを弾性圧縮させた状態にして前記蓋体が開口に蓋されるようにすると共に、蓋体で開口に蓋された状態下の前記先端部分と止具間の軸部長さよりも蓋体を回動し開口が開いた状態下の前記先端部分と止具間の軸部長さが長くなるよう前記長尺部材の基端部分が位置決めされてなる請求項１又は２に記載の開閉蓋。
【請求項５】
前記係合部(75)を前記回転体(74)に形成された角孔とし、且つ前記ピン軸(92)の端部を角柱として、該端部を該角孔に挿着させて、ピン軸(92)の端部を、回転体(74)の係合部(75)へ係止一体化させる請求項１乃至４のいずれか１項に記載の開閉蓋。
【発明の詳細な説明】
【技術分野】
【０００１】
本発明は流雪溝の投雪口、或いは電線,光ケーブル用共同溝等のマンホールの開口などに設けられる開閉蓋に関する。
【背景技術】
【０００２】
例えば降雪地帯では流雪溝の投雪口の開閉蓋を開け、雪かきして集めた雪をそこへ投入して流雪溝の底を流れる水で溶解させて雪を処理する方法がある。この開閉蓋は道路に設けられるため、金属製で頑強にし重量的に重いものになっている。そのため、作業者が開閉蓋を開け閉めする際の労力負担が大きいことから、本出願人は先にこれを改善する開閉蓋の発明を特開２００４−３４６５４４号公報や特開２００６−１６９７２８号等で提案してきた。
一方、開閉蓋を閉める際は、重量物の蓋で勢いよく開口を閉じることがあり、危険であり、開閉蓋を閉める過程で、安全対策を講じた開閉蓋がいくつか提案されている（例えば特許文献１）。
【先行技術文献】
【特許文献】
【０００３】
【特許文献１】特開２０００−１９２５３３号公報
【発明の開示】
【発明が解決しようとする課題】
【０００４】
しかるに、特許文献１は、その請求項１に記載のごとく「…前記枠体と蓋本体との間に、枠体の下部に一端が軸支された第一アームと、前記蓋本体の下部に一端が軸支された第二アームと、前記第一アームと第二アームの各他端を支持しかつ前記蓋本体の荷重によって開かない程度の付勢力を有するバネ体とからなるバネ構造体を設けたことを特徴とする開閉溝蓋構造。」であり、蓋本体が閉じるときはバネ体の力でゆっくりと閉じることができるが、閉じた状態が不安定になる虞があった。バネ体の力でゆっくりと蓋本体を閉させる付勢力を保有させるべく、蓋本体の荷重によってひらかない程度の付勢力を有するバネ体が必須構成であり、開閉溝蓋が有する真の重みがバネ体によって軽くなっている。何らかの外力が働いた際、該開閉溝蓋が不用意に浮き上がってしまう虞があった。開閉蓋が設置される箇所は歩行者が歩いたり車両が走行したりする道路に設けられることもあり、開口に蓋をした開閉蓋は、安全性向上の見地から、その重みを生かして少しでも浮き上がらないことが望ましい。
【０００５】
本発明は、上記問題を解決するもので、開口に蓋をしたら蓋体自身の重みを十分に生かして開口から浮き上がらないようにして使用時の確固たる安全性を保ち、且つ蓋体が回動して開口を閉じる際は、ゆっくりとした動作になるようにして、作業の安全性に貢献できる開閉蓋を提供することを目的とする。
【課題を解決するための手段】
【０００６】
上記目的を達成すべく、請求項１に記載の発明の要旨は、盤状の蓋体(2)と、該蓋体(2)の一側域で、その回動軸として一体化して、蓋体(2)の両外方へ突出する一本の支軸(3)、又は蓋体(2)の一側域で、その回動軸が二つに分割し且つ少なくとも一方が該蓋体(2)に一体化して、蓋体(2)の外方へ突出するピン軸(92)と、四方を取り囲む枠部材で前記蓋体(2)が収まる開口(O)を形成し、前記支軸(3)又は前記ピン軸(92)を支持する軸受が一側寄りに設けられた開口枠(1)と、前記支軸(3)の少なくとも一方の端部を、又は蓋体に一体化した前記ピン軸(92)の端部を、回転体(74)の係合部(75)へ係止させ、且つ該回転体(74)が収容される本体ケース(71)を前記開口枠(1)に固着して、開口(O)が開いた状態から閉じる状態への蓋体(2)の移行時に、前記支軸(3)又は前記ピン軸(92)の回動を制動する回転ダンパー装置(7)と、を具備することを特徴とする開閉蓋にある。請求項２の発明たる開閉蓋は、請求項１で、回転ダンパー装置(7)が、前記蓋体(2)を持ち上げて開口(O)を開ける回転時よりも、該蓋体(2)で開口(O)を閉じる逆方向回転時に、その発生トルクを大きく増加させ、制動作用を強く働かせてなることを特徴とする。請求項３の発明たる開閉蓋は、請求項１又は２で、ピン軸(92)の双方とも蓋体(2)と一体化し、且つ蓋体(2)の両外方へ突出する双方のピン軸(92)の端部を、回転体(74)の係合部(75)へそれぞれ係止させて、前記本体ケース(71)が前記開口枠(1)に一対固着された回転ダンパー装置(7)を具備することを特徴とする。請求項４の発明たる開閉蓋は、請求項１又は２で、支軸(3)の一方の端部を、前記回転体(74)の係合部(75)へ係止させて、前記本体ケース(71)が前記開口枠(1)に固着された回転ダンパー装置(7)を備える一方、該支軸の他方の端部に、基端部が取着され、先端部が該支軸地点から軸半径外方向へ張り出すアーム(4)と、該アームの先端部に一端が回動自在に連結部で取付けられると共に該連結部に基端が取着されて棒状に軸部が延びる軸状部材(5)と、先端部分に設けた挿孔に前記軸部を遊挿し、基端部分が支軸(3)用の前記軸受を設けた開口枠(1)に係る枠部材の一側寄りと反対の該枠部材の他側寄りで回転自在に支持されてなる長尺部材(6)と、一端を前記軸部に遊挿された前記先端部分に係止させ、他端を該軸部の先端寄りに取付けた止具に係止させるようにして該軸部に介装されるコイルばね(SP)と、をさらに具備し、コイルばねを弾性圧縮させた状態にして前記蓋体が開口に蓋されるようにすると共に、蓋体で開口に蓋された状態下の前記先端部分と止具間の軸部長さよりも蓋体を回動し開口が開いた状態下の前記先端部分と止具間の軸部長さが長くなるよう前記長尺部材の基端部分が位置決めされてなることを特徴とする。請求項５の発明たる開閉蓋は、請求項１〜４で、係合部(75)を前記回転体(74)に形成された角孔とし、且つ前記ピン軸(92)の端部を角柱として、該端部を該角孔に挿着させて、ピン軸(92)の端部を、回転体(74)の係合部(75)へ係止一体化させることを特徴とする。
【発明の効果】
【０００７】
本発明の開閉蓋は、回転ダンパー装置を取付けることにより、その部品コスト、組立て作業時間、メンテナンス等での部品交換が簡単であるばかりか、コンパクトにして、開口に蓋をしたら蓋体自身の重みを存分に生かして開口から浮き上がらないようにして使用時の確固たる安全性を保ち、且つ蓋体が回動して開口を閉じる際は、蓋体の回転にブレーキをかけゆっくりとした動作になるようにして、作業の安全性に貢献できるなど優れた効果を発揮する。
【図面の簡単な説明】
【０００８】
【図１】実施形態１の開閉蓋の平面図である。
【図２】図１のII-II線矢視図である。
【図３】図１のIII-III線矢視図である。
【図４】（イ）が回転ダンパー装置の裏面図、（ロ）が（イ）の左側面図である。
【図５】実施形態２で、（イ）が蓋体に一体化させないピン部材の斜視図、（ロ）がピン部材の頭部を圧縮コイルバネと共にキャップ内に組み込んだ説明断面図である。
【図６】図１に対応する開閉蓋の平面図である。
【図７】実施形態３で、図１に対応する開閉蓋の平面図である。
【図８】図７の概略縦断面図である。
【図９】図７の蓋をした状態のアーム,軸状部材,長尺部材,コイルばね周りの概略側面図である。
【図１０】アーム周りの拡大図である。
【図１１】蓋体と支軸の位置関係を示す説明図である。
【図１２】蓋体が回動して開口が開いた状態の開閉蓋の斜視図である。
【図１３】図６に代わる他態様の開閉蓋の平面図である。
【図１４】図６,図１３に代わる別態様の開閉蓋の平面図である。
【発明を実施するための形態】
【０００９】
以下、本発明に係る開閉蓋について詳述する。
（１）実施形態１
図１〜図４は本発明の開閉蓋の一形態で、図１はその平面図、図２は図１のII-II線矢視図、図３は図１のIII-III線矢視図、図４は（イ）が回転ダンパー装置の裏面図、（ロ）が（イ）の左側面図を示す。各図は図面を判り易くするため、断面表示のハッチングを一部省略する。
【００１０】
開閉蓋は、開口枠１と蓋体２とピン部材９と回転ダンパー装置７とを具備する。
開口枠１は、四方を取り囲む枠部材で開口Ｏを形成し、ピン部材９のピン軸９２を支持する一対の軸受が、前記枠部材の一側寄りに対向配設される枠体である。
本実施形態は側面視Ｌ形板材からなる一対の流路方向部材１０と、帯板からなる一対の流路横断方向部材１１とで四方を取り囲む方形枠で、より詳しくは平面視で図１のような略矩形開口Ｏを形成する金属製枠体になっている。Ｌ形板材の側面部１０ａが起立し、両側面部１０ａの内寸が開口Ｏの幅になる(図３)。Ｌ形板材の下面部１０ｂが開口Ｏ内へ水平に張り出すように配設され、この下面部１０ｂは蓋体２が開口Ｏに蓋をした状態になったときに該蓋体２を受け支える。そして、流路方向部材１０の一側寄りの両コーナー近くには、開口Ｏを狭めるようにして側面部１０ａと平行に走る立板部１９が設けられる。図１でいえば、左側の流路横断方向部材１１の両端から中央へ向けて、回転ダンパー装置７の取付スペースを確保した地点に、帯板方向を起立させて、その一端を流路横断方向部材１１に固着した立板部１９が、流路方向部材１０に沿って配設固定される。立板部１９の上縁は開口枠１と面一にして、且つ下縁は外方に屈曲した水平部が延在して開口枠１に固着させている。該立板部１９を堅牢にし、起立維持させるためである。そして、二つの立板部１９には、前記ピン軸９２を支持する軸受を担う貫通孔ｋが、立板部中央の対向部位に設けられる。
【００１１】
蓋体２はピン軸９２に支えられて、該ピン軸９２を中心に回動させ開口Ｏの開け閉めを可能にする盤体である。蓋体２は盤状にして開口Ｏに蓋ができる大きさで、金属製グレーチング溝蓋からなる(図１,図２)。蓋体２は、全体形状が略盤状直方体をなすが、図１でいえば左側上下の両角部のみ、立板部１９の開口Ｏ内への張り出しに合わせて切欠部が設けられる。多数の金属製帯板からなるメインバー２１とこれに直交する金属製棒状体からなるツイストバー２２で組格子を形成して、メインバー２１の両端面を一定幅の金属製側板２３で囲む。組格子の形成によりスリット２０ができる。前記切欠部には立板部１９に近接させて並行配設された補助側板２６がメインバー２１の切断端面にあてがわれて固着し、該補助側板２６と側板２３と両側のメインバー２１とで、それぞれの帯幅方向を起立させて、組格子の外周を取り囲む。そして、二つの補助側板２６には、前記貫通孔ｋとの対向位置にピン部材９のピン軸９２が挿通する孔が設けられる。
【００１２】
ピン部材９は、蓋体２を開け閉めする際の回動軸である。蓋体２の一側域で、その回動軸が二つに分割し且つ少なくとも一方が該蓋体２に一体化して、外方へ突出するピン軸９２になっている。ピン軸９２を前記補助側板２６の孔に挿通させ、蓋体２の外方へ突出させる。本実施形態は、両ピン軸９２とも蓋体２に一体化し、且つ両ピン軸９２が両側板（詳しくは両補助側板２６）の外方へ突出する。ピン部材９の頭部９１が蓋体２の補助側板２６に螺着や溶接等で固定され、ピン軸９２の先端が立板部１９の軸受となる貫通孔ｋを通過し、さらに開口形成用の流路方向部材１０へ向けて突出する。
【００１３】
回転ダンパー装置７は、蓋体２に一体化した前記ピン軸９２の端部を、回転体７４の係合部７５へ係止させ、且つ回転体７４が収容される本体ケース７１を開口枠１に固着して、開口Ｏが開いた状態から閉じる状態への移行時に、ピン軸９２の回動を制動する装置である。ここでは、回転ダンパー装置７が二つ用いられる。蓋体２からその両側外方に突出するピン軸９２の双方とも蓋体２と一体化し、且つ双方のピン軸９２の端部を、回転体７４の係合部７５へそれぞれ係止させて、本体ケース７１が開口枠１に一対固着される回転ダンパー装置７を備える。既述のごとく、蓋体２から立板部１９の貫通孔ｋを通り、両流路方向部材１０へ向けてそれぞれ前記ピン軸９２が突出する。裏面カバー７６側を立板部１９の外面に当て、回転ダンパー装置７に係る本体ケース７１がボルト螺子７３で該立板部１９に固着される。そうして、各ピン軸９２の端部が本体ケース７１内に配設された回転体７４の係合部７５に係止一体化して、該ピン軸９２の回動を制動できるようにしている。尚、ピン軸９２の端部を回転体７４の係合部７５に係止させることから、回転ダンパー装置７に軸受を担わせることもできる。
回転ダンパー装置７は、特開2005-30550号公報、特開2005-30550号公報、特開2005-30550号公報等で様々な改良発明が提案されている公知品である。ただ、開閉蓋にこの種の回転ダンパー装置７が組み込まれたものはこれまで存在しない。
開閉蓋に用いる回転ダンパー装置７には、例えば不二ラテックス株式会社製の商品名「ロータリーダンパー」,「ディスクダンパー」や、タキゲン製造株式会社製の商品名「自動調整式ダンパー」等がある。
【００１４】
回転ダンパー装置７は、本体ケース７１と、該本体ケース７１内に充填されるシリコンオイル等の粘性作動液体と、本体ケース７１内に収納され、制動板を有する回転体７４と、該回転体７４に設けられた係合部７５と、を備える。蓋体２に一体化したピン軸９２の端部を、回転体７４の係合部７５へ係止させて、開口Ｏが開いた状態から、前記ピン軸９２を中心に蓋体２が回動して開口Ｏを閉じる状態への移行時に、該回転ダンパー装置７の発生トルクを増加させ、開口Ｏを閉じる動きにブレーキをかける。本実施形態は、図４のごとく、回転体７４の中央に回転ダンパー装置７を貫通する角孔(ここでは四角孔)が形成された係合部７５へ、該角孔に挿入可能な角柱(ここでは四角柱)が端部に設けられたピン軸９２を挿着させて係止一体化する。角孔,角柱のような角部を設けると、係合部７５の角孔へ角柱のピン軸９２を挿着するだけで、回動時の両者の係止一体化が簡便且つ確実に図られ、好都合となる。
【００１５】
回転ダンパー装置７は、前記蓋体２を持ち上げて開口Ｏを開ける回転時よりも、該蓋体２で開口Ｏを閉じる逆方向回転時に、その発生トルクを大きく増加させ、制動作用を強く働かせてなる一方向性のものを採用するのがより好ましい。蓋体２を持ち上げて開口Ｏを開ける回転時は円滑に蓋体２を持ち上げられるようにして、蓋体２で開口Ｏを閉じる逆方向回転時は、その回転速度を落とす制動作用を働かせて安全性を高められるからである。
尚、符号１５は嵩上げ部材、符号ｕは流路、符号ＧＬは地表面を示す。図２の回転ダンパー装置の取付孔７２にはボルト螺子７３が螺着するが図示を省略する。
【００１６】
このように構成した開閉蓋は、開口Ｏに蓋をした状態下で、特許文献１のような上方に向かう付勢力が蓋体２に働かないので、蓋体自身の重みを存分に生かして、使用時の確固たる安全性を保つことができる。不用意に蓋体２が開口Ｏから浮き上がることはない。歩行者が躓いたり、車両走行で支障をきたすことがない。
それでいて、蓋体２が回動して開口Ｏを閉じる際は、蓋体２に固着したピン軸９２が係合部７５に係止一体化しているので、回転ダンパー装置７の制動作用が働き、蓋体２の回転にブレーキをかける。ゆっくりと蓋体２が閉じるようになり、作業の安全性に貢献する。本実施形態は、さらに二つのピン軸９２が蓋体２と一体化し、且つ両ピン軸９２のそれぞれの端部に回転ダンパー装置７を取付けているので、その制動作用が倍になって働き、作業のさらなる安全性向上に役立つ。
加えて、特許文献１をはじめとする従来品のごとく複雑な構成を用いなくても、コンパクトにして手軽な回転ダンパー装置７を用いるだけで足り、その部品コスト、組立て作業時間の短縮、及びメンテナンス時等での部品交換などに威力を発揮し、極めて優れものの開閉蓋となる。
【００１７】
（２）実施形態２
本実施形態は図５、図６ごとくの開閉蓋で、図５は（イ）が蓋体に一体化させないピン軸用ピン部材の斜視図、（ロ）が(イ)のピン部材の頭部を圧縮コイルバネと共にキャップ内に組み込んだ説明断面図、図６は図１に対応する開閉蓋の平面図を示す。本開閉蓋は、蓋体２の一側域で、その回動軸が二つに分割し且つ一方が該蓋体２に一体化して、外方へ突出するピン軸９２とするが、他方のピン軸９２は、蓋体２の外方へ突出するものの蓋体２に一体化させない。他方のピン軸９２は、図５,図６のごとく、有蓋円筒体のキャップＣＰ内に圧縮コイルバネＢＮを介在させて、ピン部材９の頭部９１を該圧縮コイルバネＢＮの押圧でピン軸９２が補助側板２６の孔２６０を通り、開口枠１に設けた軸受となる孔１００周りに支持される。他方のピン軸９２は、図５,図６のごとく、蓋体２の側板２３に固着したキャップＣＰ内で圧縮コイルバネＢＮを介在させたピン部材９のピン軸９２が、該圧縮コイルバネＢＮの付勢力を受けて、流路方向部材１０に設けた軸受用の孔１００へ向けて突出し該孔１００周りに支持される。他方のピン軸９２は回転ダンパー装置７を取付けない。
【００１８】
一方(図６の上方側）の前記ピン軸９２は、実施形態１と同様、回転ダンパー装置７の係合部７５に係止して、他方（図６の下方側）のピン軸９２とで、蓋体２の回動軸を形成し、蓋体２の開け閉めを行う。
開口Ｏが開いた状態から、ピン軸９２を中心に蓋体２が回動して開口Ｏを閉じる状態への移行時に、一個の回転ダンパー装置７だけで発生トルクを増加させて、制動作用を働かせる構成となっている。他の構成は実施形態１と同様で、その説明を省略する。実施形態１と同一符号は同一又は相当部分を示す。
【００１９】
このように構成した開閉蓋は、実施形態１の効果に加え、一個の回転ダンパー装置７しか取付けていないので、制動作用が低下するものの、比較的軽量の蓋体２であれば、十分機能する。開口Ｏを閉じる際、蓋体２が回転速度を落として閉じるようになり、作業の安全性に役立つものとなっている。実施形態１に比べ、回転ダンパー装置７の一個を減らしているので、低コスト対応でき、安全性を高めた開閉蓋の普及に貢献できる。
【００２０】
（３）実施形態３
本実施形態は図７〜図１２ごとくの開閉蓋で、図７は図１に対応する開閉蓋の平面図、図８は図７の概略縦断面図、図９は図７の蓋をした状態のアーム,軸状部材,長尺部材６,コイルばね周りの概略側面図、図１０はアーム周りの拡大図、図１１は蓋体と支軸の位置関係を示す説明図、図１２は蓋体が回動して開口Ｏが開いた状態の開閉蓋の斜視図を示す。本実施形態の開閉蓋は、実施形態１,２のピン軸９２に代えて、蓋体２の一側域で、その回動軸として一体化して、蓋体２の両外方へ突出する一本の支軸３を使用する。四方を取り囲む枠部材で前記蓋体２が収まる開口Ｏを形成し、支軸３を支持する軸受が一側寄りに設けられた開口枠１とする。符号１８は該軸受の孔を取り囲む円筒状環体を示す。
【００２１】
ここでは、支軸３の一方の端部を、回転体７４の係合部７５へ係止させて、該回転体７４を収容する本体ケース７１が開口枠１に固着された回転ダンパー装置７を備える一方、蓋体２を持ち上げて開ける際の労力負担を減らすべく、支軸の他方の端部にアーム４を取着し、且つ軸状部材５,長尺部材６等を設けた開閉蓋になっている。支軸の他方の端部に、開閉蓋を開ける際の労力負担軽減装置（本出願人の特許第4406597号）を取付ける。
【００２２】
本実施形態の支軸３は蓋体２の側板２３上方寄りの地点で、側板２３の長手方向に沿って蓋体２の回動軸として、両端が該側板から突出すようにして配設され、蓋体２の回動動作で該側板２３と一体に回動する。支軸３は外軸３ａと中軸３ｂとからなる。外軸３ａは長手方向等断面形状の金属製四角筒体で、蓋体２の側板２３上方寄りの地点にて該側板２３の長手方向に沿わせて溶接固定する。外軸３ａの長さは側板２３長さとほぼ同じにする。中軸３ｂは、外軸３ａよりも一回り小さな金属製四角筒体で、外軸３ａの四角筒内に挿入,配設される。中軸３ｂの長さは外軸３ａの長さよりも長い。外軸３ａ内に中軸３ｂを挿通,貫通させ、外軸３ａの外に出た中軸３ｂの一端部３２を、開口枠１の側壁部１１ｂへ固着した円環体１３の軸受に挿入,支持させる。もう一方の中軸３ｂの他端部３２も外軸３ａから外に出し、中軸３ｂだけを、側壁部１１ｂへ固着した円筒状環体１８の軸受に挿通することによって、中軸３ｂに係る支軸３が該軸受に支持されて、蓋体２の回動動作で外軸３ａ,中軸３ｂが一体的に回動するよう構成する。図１１(イ)のように外軸３ａが蓋体２の側板２３に溶接固定され、この外軸３ａの四角筒内に中軸３ｂが挿入,配設されるが、中軸３ｂは外軸３ａより少し小さめの四角筒であることから、蓋体２が回動すれば少しのアソビがあっても中軸３ｂの角３ｂ１が外軸３ａの内壁に当たって中軸３ｂも蓋体２と一体的に回動する(図１１のロ)。本実施形態は製作のし易さから支軸３を外軸３ａ,中軸３ｂからなる二本構成にしたが、支軸３を一本化させることもできる。
【００２３】
前記支軸３の他方の端部に、基端部が取着され、先端部が該支軸地点から軸半径外方向へ張り出すアーム４と、該アームの先端部に一端が回動自在に連結部５ａで取付けられると共に該連結部に基端が取着されて棒状に軸部５ｂが延びる軸状部材５と、先端部分６ｂに設けた挿孔６５に前記軸部５ｂを遊挿し、基端部分が前記軸受を設けた枠部材の一側寄りと反対の該枠部材の他側寄りで回転自在に支持されてなる長尺部材６と、一端を前記軸部に遊挿された前記先端部分６ｂに係止させ、他端を該軸部の先端寄りに取付けた止具に係止させるようにして該軸部に介装されるコイルばねＳＰと、を具備し、コイルばねＳＰを弾性圧縮させた状態にして蓋体２が開口Ｏに蓋されるようにすると共に、蓋体２で開口Ｏに蓋された状態下の前記先端部分６ｂと止具８間の軸部長さよりも蓋体２を回動し開口Ｏが開いた状態下の先端部分６ｂと止具８間の軸部長さが長くなるよう前記長尺部材６の基端部分が位置決めされる開閉蓋とする。
【００２４】
アーム４は支軸３に基端部が取着され、先端部が該支軸地点から軸半径外方向へ張り出す金属製剛性部材である。アーム４は支軸３の他端部３２にアーム４の基端４１が固着され、アーム先端が該支軸地点から側面視で、図１０のごとく前記側板２３に対し下降するに従い鋭角の角度θで外方へ張り出す縦長板片になる。蓋体２が支軸３を中心に回動すれば、その支軸３(外軸３ａ及び中軸３ｂ)も回動し、中軸３ｂに固着されたアーム４も一緒に回動する。蓋体２で開口Ｏに蓋したとき、図９,図１０に示すようにアーム４が基端４１から下降するに従い側板２３よりも外方へ張り出す状態に配設される。アーム４の先端部４２には軸状部材５の連結部５ａを回動自在に取付ける通孔４２１が設けられる。
【００２５】
軸状部材５は前記アーム４の先端部に一端が回動自在に連結部５ａで取付けられると共に該連結部５ａに基端が取着されて棒状に軸部５ｂが延びる金属製細長部材である。連結部５ａは基片から孔を設けた一対の対向片が張出す側面視コ字形切削加工品で、該連結部の一対の対向片内にアーム先端部を差し入れた後、前記孔とアーム先端部４２の通孔４２１にピンｆで両者を回動自在に連結する。連結部５ａの基片の背面には螺子孔が設けられ、該螺子孔に螺合する雄螺子部分を形成した棒状に長い軸部５ｂの基端が螺着固定される。
【００２６】
長尺部材６は先端部分６ｂに設けた挿孔６５に前記軸部５ｂを遊挿し、基端部分が支軸用の前記軸受を設けた開口枠１に係る枠部材の一側寄りと反対の該枠部材の他側寄りで回転自在に支持されてなる長尺の金属製板状部材である。アーム４が取着された支軸用軸受が設けられた枠部材たる側壁部１１ｂで、軸受地点と反対の他側寄り地点の該側壁部１１ｂにピンｇが設けられ、該ピンに長尺部材６の基端部が軸支される。ピンの高さ方向の位置はアーム４が取着された支軸用軸受と同様、側壁部１１ｂ上方寄りの地点に設けられる。長尺部材６は細長帯板の基端部分に筒部６０を形成し、該筒部をピンｇに嵌挿して長尺部材６が回転自在に支持される。筒部６０の基端部分から細長帯板状の主部６ａが先端部分６ｂに向けて真っ直ぐに伸び、その先の先端部分６ｂで折曲し該先端部分６ｂに設けた挿孔６５に前記軸部５ｂが遊挿される。長尺部材６を支持するピンｇと支軸端部３２とがピン支点になって長尺部材６,軸状部材５,アーム４が揺動可能になっている。図９の側面視では、ピンｇと支軸端部３２とアーム４のピンｆと挿孔６５との４点を囲む線分が形成する図形は、ピンｇと支軸端部３２間線分が下底で、ピンｆと挿孔６５間線分が上底となるほぼ逆台形の形になっている。
【００２７】
コイルばねＳＰは、その一端を前記軸部５ｂに遊挿された先端部分６ｂに係止させ、他端を該軸部の先端寄りに取付けた止具８に係止させるようにして該軸部に介装されるばねである。軸部５ｂの先端部分には雄螺子部分５５が形成され、ここでの止具８は鍔部８１と雄螺子部分５５に螺合するナット部８２とからなる。コイルばねＳＰを軸部５ｂの先端から該軸部に遊挿し、次に止具８を軸部５ｂに螺合させて、長尺部材６の先端部分６ｂと止具８との間にコイルばねＳＰが配される。コイルばねＳＰはコイル中心方向に圧縮荷重を受ける圧縮コイルばねＳＰとし、その端部は長尺部材６の先端部分６ｂと止具８との接合を良くするため平らにしたフックのないばねである。軸部５ｂに介装されたコイルばねＳＰは軸部５ｂに螺合する止具８によって締め付けられ、図９のごとくコイルばねＳＰを弾性圧縮させた状態にして蓋体２で開口Ｏが蓋される。ここで、蓋体２で開口Ｏに蓋された状態下の前記先端部分６ｂと止具８間の軸部長さＬ０よりも蓋体２を回動し開口Ｏが開いた状態下の先端部分６ｂと止具８間の軸部長さＬ２が長くなるよう長尺部材６の基端部分の位置が決められる。本実施形態は長尺部材６を支持するピンｇと支軸端部３２との両者を、枠部材たる側壁部１１ｂの両端寄りに離して、共に側壁部１１ｂ上方寄りの地点に位置させていることから、蓋体２で開口Ｏに蓋された図９の状態にある先端部分６ｂと止具８間の軸部長さＬ０よりも、蓋体２を支軸３を軸に回動させ完全に開けた図１２の先端部分６ｂと止具８間の軸部長さＬ２が長くなる。蓋体２が図９から図１２の状態へと回動するに伴い、支軸端部３２,ピンｆ,挿孔６５がほぼ一直線上に並ぶようになり、ピンｆと挿孔６５間線分の上底が短くなる。図９の圧縮状態にあったコイルばねＳＰは、図１２のごとく蓋体２が支軸３を軸に回動する際に弾性復元していき、その弾性復元力が蓋体２の回動を助ける。蓋体２を開ける際、上記構成のアーム４,軸状部材５,長尺部材６,コイルばねＳＰ,止具８が労力負担の軽減装置になっている。
【００２８】
このように構成した開閉蓋は、蓋を閉める時は、支軸３の一方に取付けた回転ダンパー装置７でゆっくりと閉め、蓋を開ける時は、コイルばねＳＰの弾性復元力の力を借りて労力負担を軽減できる。コイルばねＳＰに連結用フック部がないので、コイルばね全体をばねとして機能する有効部に活用できる。蓋の開け閉めの双方で、作業者に負担になる力作業、安全性の注意喚起に貢献でき、極めて有益となる。他の効果は実施形態１、２と同様でその説明を省く。
【００２９】
尚、本発明においては前記実施形態に示すものに限られず、目的,用途に応じて本発明の範囲で種々変更できる。開口枠１,蓋体２,支軸,回転ダンパー装置７等の形状,大きさ,個数,材質等は用途に合わせて適宜選択できる。
例えば、実施形態２の他方の蓋体２と一体化しない方のピン軸９２は、図５,図６のごとく有蓋円筒体のキャップＣＰ内に圧縮コイルバネＢＮを介在させて、ピン部材９の頭部９１を該圧縮コイルバネＢＮの押圧でピン軸９２が補助側板２６の孔を通り、開口枠１に設けた軸受たる孔１００周りに支持されたが、図１３のようなピン軸９２とすることもできる。図１３は開口枠１の流路方向部材１０に固着した図５のキャップＣＰに圧縮コイルバネＢＮを介在させ、該ピン部材９のピン軸９２が、該圧縮コイルバネＢＮの付勢力を受け、側板２３に設けた孔２３０へ向けて突出して、回転軸を担う。また、図１４のようなピン軸９２とすることもできる。図１４は開口枠１の流路方向部材１０に固着した袋ナットたる頭部９１へ、六角レンチ用孔９２０を設けたボルト軸からなるピン軸９２が螺着し、該ピン軸９２が側板２３に設けた孔２３０へ向けて突出して回転軸を担う。
【符号の説明】
【００３０】
１            開口枠
２            蓋体
３            支軸
４            アーム
５            軸状部材
６            長尺部材
７            回転ダンパー装置
７１          本体ケース
７４          回転体
７５          係合部（角孔）
９            ピン部材
９２          ピン軸（角柱）
ＳＰ          コイルばね
【図１】
2016035162.tif 000003
【図２】
2016035162.tif 000004
【図３】
2016035162.tif 000005
【図４】
2016035162.tif 000006
【図５】
2016035162.tif 000007
【図６】
2016035162.tif 000008
【図７】
2016035162.tif 000009
【図８】
2016035162.tif 000010
【図９】
2016035162.tif 000011
【図１０】
2016035162.tif 000012
【図１１】
2016035162.tif 000013
【図１２】
2016035162.tif 000014
【図１３】
2016035162.tif 000015
【図１４】
2016035162.tif 000016